【誤訳訂正書】
【提出日】平成25年6月19日(2013.6.19)
【誤訳訂正１】
【訂正対象書類名】特許請求の範囲
【訂正対象項目名】全文
【訂正方法】変更
【訂正の内容】
【特許請求の範囲】
【請求項１】
コンピュータが、アプリケーションを使用するユーザの端末機の使用履歴からインターネットを介して前記ユーザが訪問したサイトに対するＵＲＬを取得し、
前記ＵＲＬまたは前記ＵＲＬのランディングページを分析して前記ＵＲＬに対する業種のカテゴリを分類し、
前記分類された業種のカテゴリ別に前記ＵＲＬのサイトを、登録された広告サイトと比較して登録されていないＵＲＬを区分するか、あるいは前記ＵＲＬのサイトを表示した広告サイトと比較して表示されないＵＲＬを区分し、新規広告が可能なＵＲＬを提供すること、
を含むことを特徴とする新規に広告を提供することが可能なＵＲＬ提供方法を実行するためのプログラム。
【請求項２】
前記アプリケーションを使用するユーザの使用履歴から前記ユーザが訪問したサイトに対するＵＲＬを取得することは、
前記アプリケーションを使用するユーザのインターネットサービスに対する使用履歴を収集し、
前記収集された使用履歴を分析して前記ユーザが訪問したサイトに対するＵＲＬを抽出し、
前記抽出されたＵＲＬで予め決められた訪問条件を満たすサイトに対するＵＲＬを分類すること、
を含むことを特徴とする請求項１に記載の新規に広告を提供することが可能なＵＲＬ提供方法を実行するためのプログラム。
【請求項３】
前記収集された使用履歴を分析して前記ユーザが訪問したサイトに対するＵＲＬを抽出することは、前記収集された使用履歴を分析して前記ユーザが訪問した１つのサイトに対するＵＲＬが複数である場合、サイト別に１つのＵＲＬを抽出することを特徴とする請求項２に記載の新規に広告を提供することが可能なＵＲＬ提供方法を実行するためのプログラム。
【請求項４】
前記抽出されたＵＲＬで予め決められた訪問条件を満たすサイトに対するＵＲＬを分類することは、前記抽出されたＵＲＬの中から前記ＵＲＬのサイトに訪問した訪問者の数が予め決められた基準値以上であるＵＲＬを分類することを特徴とする請求項２に記載の新規に広告を提供することが可能なＵＲＬ提供方法を実行するためのプログラム。
【請求項５】
前記抽出されたＵＲＬで予め決められた訪問条件を満たすサイトに対するＵＲＬを分類することは、前記抽出されたＵＲＬの中から前記ＵＲＬのサイトに訪問した訪問者の数が予め決められた基準値未満であるＵＲＬを分類することを特徴とする請求項２に記載の新規に広告を提供することが可能なＵＲＬ提供方法を実行するためのプログラム。
【請求項６】
前記抽出されたＵＲＬで予め決められた訪問条件を満たすサイトに対するＵＲＬを分類することは、前記抽出されたＵＲＬの中から前記ＵＲＬのサイトに訪問した訪問者の数が予め決められた第１基準値以上であり、予め決められた第２基準値未満であるＵＲＬを分類することを特徴とする請求項２に記載の新規に広告を提供することが可能なＵＲＬ提供方法を実行するためのプログラム。
【請求項７】
前記ＵＲＬまたは前記ＵＲＬのランディングページを分析して前記ＵＲＬに対する業種のカテゴリを分類することは、前記ＵＲＬまたは前記ＵＲＬのランディングページを分析して広告対象業種のカテゴリを用いて前記ＵＲＬに対する業種を分類することを特徴とする請求項１に記載の新規に広告を提供することが可能なＵＲＬ提供方法を実行するためのプログラム。
【請求項８】
前記ＵＲＬまたは前記ＵＲＬのランディングページを分析して前記ＵＲＬに対する業種を分類することは、
前記ＵＲＬまたは前記ＵＲＬのランディングページからキーワードを抽出し、
前記抽出されたキーワードを分析して意味の類似するキーワードを１つのグループに分類し、
前記分類されたキーワードグループから最も頻度が高いキーワードグループを業種辞書と比較して前記ＵＲＬに対する業種のカテゴリを抽出すること、
を含むことを特徴とする請求項１に記載の新規に広告を提供することが可能なＵＲＬ提供方法を実行するためのプログラム。
【請求項９】
前記抽出されたキーワードを分析して意味の類似するキーワードを１つのグループに分類することは、類似する意味のキーワードグループを整理して蓄積された類語辞書を用いて前記抽出されたキーワードを分析し、意味の類似するキーワードを１つのグループに分類することを特徴とする請求項８に記載の新規に広告を提供することが可能なＵＲＬ提供方法を実行するためのプログラム。
【請求項１０】
前記分類されたキーワードグループから最も頻度が高いキーワードグループを業種辞書と比較して前記ＵＲＬに対する業種を抽出することは、前記分類されたキーワードグループから最も頻度が高いキーワードグループを業種カテゴリおよびキーワードマッチングテーブルと比較した結果に応じて前記ＵＲＬに対する業種を抽出することを特徴とする請求項８に記載の新規に広告を提供することが可能なＵＲＬ提供方法を実行するためのプログラム。
【請求項１１】
請求項１乃至請求項１０のいずれか１項記載の方法を実行するためのプログラムを記憶することを特徴とするコンピュータで読み出し可能な記録媒体。
【請求項１２】
コンピュータにより、アプリケーションを使用するユーザの端末機の使用履歴からインターネットを介して前記ユーザが訪問したサイトに対するＵＲＬを取得するＵＲＬ取得部と、
前記ＵＲＬまたは前記ＵＲＬのランディングページを分析して前記ＵＲＬに対する業種のカテゴリを分類する業種分類部と、
前記分類された業種のカテゴリ別に前記ＵＲＬのサイトを、登録された広告サイトと比較して登録されていないＵＲＬを区分するか、あるいは前記ＵＲＬのサイトを表示した広告サイトと比較して表示されないＵＲＬを区分し、新規広告が可能なＵＲＬを提供するＵＲＬ提供部と、
を含むことを特徴とする新規に広告を提供することが可能なＵＲＬ提供システム。
【請求項１３】
前記ＵＲＬ取得部は、
前記アプリケーションを使用するユーザのインターネットサービスに対する使用履歴を収集する収集部と、
前記収集された使用履歴を分析して前記ユーザが訪問したサイトに対するＵＲＬを抽出するＵＲＬ抽出部と、
前記抽出されたＵＲＬで予め決められた訪問条件を満たすサイトに対するＵＲＬを分類するＵＲＬ分類部と、
を含むことを特徴とする請求項１２に記載の新規に広告を提供することが可能なＵＲＬ提供システム。
【請求項１４】
前記ＵＲＬ抽出部は、前記収集された使用履歴を分析して前記ユーザが訪問した１つのサイトに対するＵＲＬが複数である場合、サイト別に１つのＵＲＬを抽出することを特徴とする請求項１３に記載の新規に広告を提供することが可能なＵＲＬ提供システム。
【請求項１５】
前記ＵＲＬ分類部は、前記抽出されたＵＲＬから前記ＵＲＬのサイトに訪問した訪問者の数が予め決められた基準値以上であるＵＲＬを分類することを特徴とする請求項１３に記載の新規に広告を提供することが可能なＵＲＬ提供システム。
【請求項１６】
前記ＵＲＬ分類部は、前記抽出されたＵＲＬから前記ＵＲＬのサイトに訪問した訪問者の数が予め決められた基準値未満のＵＲＬを分類することを特徴とする請求項１３に記載の新規に広告を提供することが可能なＵＲＬ提供システム。
【請求項１７】
前記ＵＲＬ分類部は、前記抽出されたＵＲＬから前記ＵＲＬのサイトに訪問した訪問者の数が予め決められた第１基準値以上であり、予め決められた第２基準値未満であるＵＲＬを分類することを特徴とする請求項１３に記載の新規に広告を提供することが可能なＵＲＬ提供システム。
【請求項１８】
前記業種分類部は、前記ＵＲＬまたは前記ＵＲＬのランディングページを分析して広告対象業種のカテゴリを用いて前記ＵＲＬに対する業種を分類することを特徴とする請求項１２に記載の新規に広告を提供することが可能なＵＲＬ提供システム。
【請求項１９】
前記業種分類部は、
前記ＵＲＬまたは前記ＵＲＬのランディングページからキーワードを抽出するキーワード抽出部と、
前記抽出されたキーワードを分析して意味の類似するキーワードを１つのグループに分類するグループ分類部と、
前記分類されたキーワードグループから最も頻度が高いキーワードグループを業種辞書と比較して前記ＵＲＬに対する業種を抽出する業種抽出部と、
を含むことを特徴とする請求項１２に記載の新規に広告を提供することが可能なＵＲＬ提供システム。
【請求項２０】
前記グループ分類部は、類似する意味のキーワードグループを整理して蓄積された類語辞書を用いて前記抽出されたキーワードを分析し、意味の類似するキーワードを１つのグループに分類することを特徴とする請求項１９に記載の新規に広告を提供することが可能なＵＲＬ提供システム。
【請求項２１】
前記業種抽出部は、前記分類されたキーワードグループから最も頻度が高いキーワードグループを業種カテゴリおよびキーワードマッチングテーブルと比較した結果に応じて前記ＵＲＬに対する業種を抽出することを特徴とする請求項１９に記載の新規に広告を提供することが可能なＵＲＬ提供システム。
【誤訳訂正２】
【訂正対象書類名】明細書
【訂正対象項目名】０００３
【訂正方法】変更
【訂正の内容】
【０００３】
一般的な検索広告サービスは、ポータル検索サイトに接続したユーザに一方的に広告を表示したり、または前記ユーザが検索しようとするクエリを入力すれば、前記クエリに対応する検索結果を提供するときに検索結果と関連する広告を提供する。しかし、従来の検索広告サービスは広告主が検索広告または表示広告として予め登録しなければ広告サービスできないため、広告サービス提供業者は新規広告サービスを申請する広告主がない場合、広告収入を増大させることが難しいという問題がある。
【誤訳訂正３】
【訂正対象書類名】明細書
【訂正対象項目名】０００６
【訂正方法】変更
【訂正の内容】
【０００６】
本発明の一実施形態に係る新規広告可能なＵＲＬ提供方法は、アプリケーションを使用するユーザの使用履歴から前記ユーザが訪問したサイトに対するＵＲＬを取得し、前記ＵＲＬまたは前記ＵＲＬのランディングページ（ｌａｎｄｉｎｇ  ｐａｇｅ）を分析して前記ＵＲＬに対する業種を分類し、前記分類された業種別に前記ＵＲＬのサイトに登録された広告サイトまたは表示した広告サイトを比較した結果に応じて新規広告が可能なＵＲＬを提供すること、を含む。
【誤訳訂正４】
【訂正対象書類名】明細書
【訂正対象項目名】０００７
【訂正方法】変更
【訂正の内容】
【０００７】
本発明の一実施形態に係る新規広告可能なＵＲＬ提供システムは、アプリケーションを使用するユーザの使用履歴から前記ユーザが訪問したサイトに対するＵＲＬを取得するＵＲＬ取得部と、前記ＵＲＬまたは前記ＵＲＬのランディングページ（ｌａｎｄｉｎｇ  ｐａｇｅ）を分析して前記ＵＲＬに対する業種を分類する業種分類部と、前記分類された業種別に前記ＵＲＬのサイトに登録された広告サイトまたは表示した広告サイトを比較した結果に応じて新規広告が可能なＵＲＬを提供するＵＲＬ提供部と、を含む。
【誤訳訂正５】
【訂正対象書類名】明細書
【訂正対象項目名】００１２
【訂正方法】変更
【訂正の内容】
【００１２】
図１を参照すれば、新規広告可能なＵＲＬ提供システム１１０は、インターネット１２０を介してシステムに接続されたユーザ端末機１３０−１〜１３０−ｎからアプリケーションを使用するユーザの使用履歴を取得する。新規広告可能なＵＲＬ提供システム１１０は、ユーザ端末機１３０−１〜１３０−ｎのユーザに対して検索サービス、カフェ（コミュニティ）、ブログ、辞書、ニュースなどのようなインターネットサービスを提供し、前記インターネットサービスを提供するときに広告を共に表示する。前記アプリケーションは、前記ユーザがユーザ端末機１３０−１〜１３０−ｎを介してインターネットサービスが提供されるときに使用されるアプリケーションプログラムである。例えば、前記アプリケーションはツールバー（ｔｏｏｌｂａｒ）、ウイルス対策プログラムなどのようなクライアント形式のアプリケーションであってもよい。前記ツールバーは、前記ユーザがお気に入りのインターネットサービスを容易に用いることができるようにするために、テーマを介して前記ユーザがお気に入りのサイトまたはサービスをワンクリックで容易に移動することを可能にするアプリケーションである。
【誤訳訂正６】
【訂正対象書類名】明細書
【訂正対象項目名】００１７
【訂正方法】変更
【訂正の内容】
【００１７】
新規広告可能なＵＲＬ提供システム１１０は、前記分類された業種のカテゴリ別に前記ＵＲＬのサイトに登録された広告サイトまたは表示した広告サイトを比較した結果に応じて、新規広告が可能なＵＲＬを提供する。すなわち、新規広告可能なＵＲＬ提供システム１１０は、前記分類された業種別に前記ＵＲＬのサイトに前記登録された広告サイトまたは前記表示した広告サイトを比較し、前記比較結果に応じて、登録されたＵＲＬと表示されないＵＲＬを区分して新規広告が可能なＵＲＬを広告サービスの運営者に提供する。前記広告サービスの運営者は、前記新規広告が可能なＵＲＬの提供を受けることによって多くのユーザが用いる人気サイトの中から検索広告や情報に基づくショッピング（ｉｎｆｏｒｍｅｄ  ｓｈｏｐｐｉｎｇ）等を介して広告を提供しないサイトを把握して広告事業に活用してもよい。
【誤訳訂正７】
【訂正対象書類名】明細書
【訂正対象項目名】００３７
【訂正方法】変更
【訂正の内容】
【００３７】
ＵＲＬ提供部２３０は、前記分類された業種のカテゴリ別に前記ＵＲＬのサイトを登録された広告サイトまたは表示した広告サイトと比較した結果に応じて、新規広告が可能なＵＲＬを提供する。ＵＲＬ提供部２３０は、前記分類された業種のカテゴリ別に前記ＵＲＬのサイトを前記登録された広告サイトまたは前記表示した広告サイトと比較し、前記比較結果に応じて登録され表示されないＵＲＬを区分して前記新規広告が可能なＵＲＬをインターネット広告の運営者に提供する。
【誤訳訂正８】
【訂正対象書類名】明細書
【訂正対象項目名】００５６
【訂正方法】変更
【訂正の内容】
【００５６】
ステップＳ５３０において新規広告可能なＵＲＬ提供システム１１０は、前記分類された業種のカテゴリ別に前記ＵＲＬのサイトに登録された広告サイトまたは表示した広告サイトと比較した結果に応じて新規広告が可能なＵＲＬを提供してもよい。具体的には、ステップＳ５３０で新規広告可能なＵＲＬ提供システム１１０は、前記分類された業種のカテゴリ別に前記ＵＲＬのサイトに前記登録された広告サイトまたは前記表示した広告サイトと比較し、前記比較結果に応じて登録され表示されないＵＲＬを区分して前記新規広告が可能なＵＲＬを提供してもよい。